【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
画像ファイルが有し得る属性毎に、該属性を有する画像ファイルの有無と、該属性を有する画像ファイルが記録されたディレクトリの情報とを管理する属性管理手段と、
ディレクトリ毎に、該ディレクトリに記録された画像ファイルの有無と、該ディレクトリに記録された画像ファイルの属性に関する情報とを管理するディレクトリ管理手段と、
前記属性管理手段によって管理される情報と、前記ディレクトリ管理手段によって管理される情報とに基づいて、特定の属性を有する画像ファイルが記録されていないディレクトリを判定する判定手段と、
前記判定手段によって前記特定の属性を有する画像ファイルが記録されていないディレクトリと判定されなかったディレクトリに記録された画像ファイルを対象として、該特定の属性を有する画像ファイルを検索する検索手段と
を有することを特徴とする画像検索装置。
【請求項２】
前記属性管理手段が管理する前記ディレクトリの情報は、前記属性を有する画像ファイルが記録されたディレクトリの範囲を特定する情報であることを特徴とする請求項１記載の画像検索装置。
【請求項３】
前記ディレクトリの範囲を特定する情報は、前記属性を有する画像ファイルが記録されたディレクトリのうち、最大のディレクトリ番号のディレクトリと、最小のディレクトリ番号のディレクトリを示す情報であることを特徴とする請求項２記載の画像検索装置。
【請求項４】
前記ディレクトリ管理手段が管理する前記ディレクトリに記録された画像ファイルの属性に関する情報は、該ディレクトリに記録された画像ファイルが有する属性の範囲を特定する情報であることを特徴とする請求項１乃至３のいずれか１項に記載の画像検索装置。
【請求項５】
前記属性の範囲を特定する情報は、前記ディレクトリに記録された画像ファイルの属性のうち、最大の属性番号と、最小の属性番号であることを特徴とする請求項４記載の画像検索装置。
【請求項６】
前記属性管理手段によって管理される情報と、前記ディレクトリ管理手段によって管理される情報は、予め確保された一定の容量のメモリ領域に記録して管理されることを特徴とする請求項１乃至５のいずれか１項に記載の画像検索装置。
【請求項７】
前記一定の容量のメモリ領域は、画像ファイルが記録された記録媒体とは別の記録媒体に確保されることを特徴とする請求項６に記載の画像検索装置。
【請求項８】
特定のディレクトリに記録された全ての画像ファイルが有する属性を管理するファイル管理手段をさらに有し、
前記検索手段は、前記ファイル管理手段によって管理されている情報に基づいて前記特定の属性を有する画像ファイルを検索することを特徴とする請求項１乃至７のいずれか１項に記載の画像検索装置。
【請求項９】
前記検索手段によって検索された画像ファイルの画像を表示するよう制御する表示制御手段をさらに有することを特徴とする請求項１乃至８のいずれか１項に記載の画像検索装置。
【請求項１０】
前記属性は前記画像ファイルの撮影日であることを特徴とする請求項１乃至９のいずれか１項に記載の画像検索装置。
【請求項１１】
画像ファイルが有し得る属性毎に、該属性を有する画像ファイルの有無と、該属性を有する画像ファイルが記録されたディレクトリの情報とを管理する属性管理ステップと、
ディレクトリ毎に、該ディレクトリに記録された画像ファイルの有無と、該ディレクトリに記録された画像ファイルの属性に関する情報とを管理するディレクトリ管理ステップと、
前記属性管理ステップによって管理される情報と、前記ディレクトリ管理ステップによって管理される情報とに基づいて、特定の属性を有する画像ファイルが記録されていないディレクトリを判定する判定ステップと、
前記判定ステップによって前記特定の属性を有する画像ファイルが記録されていないディレクトリと判定されなかったディレクトリに記録された画像ファイルを対象として、該特定の属性を有する画像ファイルを検索する検索ステップと
を有することを特徴とする画像検索装置の制御方法。
【請求項１２】
コンピュータを、
画像ファイルが有し得る属性毎に、該属性を有する画像ファイルの有無と、該属性を有する画像ファイルが記録されたディレクトリの情報とを管理する属性管理手段、
ディレクトリ毎に、該ディレクトリに記録された画像ファイルの有無と、該ディレクトリに記録された画像ファイルの属性に関する情報とを管理するディレクトリ管理手段、
前記属性管理手段によって管理される情報と、前記ディレクトリ管理手段によって管理される情報とに基づいて、特定の属性を有する画像ファイルが記録されていないディレクトリを判定する判定手段、
前記判定手段によって前記特定の属性を有する画像ファイルが記録されていないディレクトリと判定されなかったディレクトリに記録された画像ファイルを対象として、該特定の属性を有する画像ファイルを検索する検索手段
として機能させるためのプログラム。
【請求項１３】
コンピュータを、
画像ファイルが有し得る属性毎に、該属性を有する画像ファイルの有無と、該属性を有する画像ファイルが記録されたディレクトリの情報とを管理する属性管理手段、
ディレクトリ毎に、該ディレクトリに記録された画像ファイルの有無と、該ディレクトリに記録された画像ファイルの属性に関する情報とを管理するディレクトリ管理手段、
前記属性管理手段によって管理される情報と、前記ディレクトリ管理手段によって管理される情報とに基づいて、特定の属性を有する画像ファイルが記録されていないディレクトリを判定する判定手段、
前記判定手段によって前記特定の属性を有する画像ファイルが記録されていないディレクトリと判定されなかったディレクトリに記録された画像ファイルを対象として、該特定の属性を有する画像ファイルを検索する検索手段
として機能させるためのプログラムを記録したコンピュータが読み取り可能な記録媒体。
【請求項１４】
ファイルが有し得る属性毎に、該属性を有するファイルの有無と、該属性を有するファイルが記録されたディレクトリの情報とを管理する属性管理手段と、
検索条件となるファイルの属性を設定する設定手段と、
前記属性管理手段によって管理される情報に基づいて、前記設定手段によって設定された属性を有するファイルを検索する検索手段と
を有することを特徴とするファイル検索装置。
【請求項１５】
ファイルが有し得る属性毎に、該属性を有するファイルの有無と、該属性を有するファイルが記録されたディレクトリの情報とを管理する属性管理ステップと、
検索条件となるファイルの属性を設定する設定ステップと、
前記属性管理ステップによって管理される情報に基づいて、前記設定ステップによって設定された属性を有するファイルを検索する検索ステップと
を有することを特徴とするファイル検索装置の制御方法。
【請求項１６】
コンピュータを、
ファイルが有し得る属性毎に、該属性を有するファイルの有無と、該属性を有するファイルが記録されたディレクトリの情報とを管理する属性管理手段、
検索条件となるファイルの属性を設定する設定手段、
前記属性管理手段によって管理される情報に基づいて、前記設定手段によって設定された属性を有するファイルを検索する検索手段
として機能させるためのプログラム。
【請求項１７】
コンピュータを、
ファイルが有し得る属性毎に、該属性を有するファイルの有無と、該属性を有するファイルが記録されたディレクトリの情報とを管理する属性管理手段、
検索条件となるファイルの属性を設定する設定手段、
前記属性管理手段によって管理される情報に基づいて、前記設定手段によって設定された属性を有するファイルを検索する検索手段
として機能させるためのプログラムを記録したコンピュータが読み取り可能な記録媒体。
【手続補正２】
【補正対象書類名】明細書
【補正対象項目名】発明の名称
【補正方法】変更
【補正の内容】
【発明の名称】画像検索装置、画像検索装置の制御方法、プログラム及び記録媒体
【手続補正３】
【補正対象書類名】明細書
【補正対象項目名】０００１
【補正方法】変更
【補正の内容】
【０００１】
本発明は，記録媒体に記録された画像ファイルから特定の属性を有する画像ファイルを検索する画像検索装置、画像検索装置の制御方法、プログラム及び記録媒体に関する。